(57)【要約】【課題】無線通信機能を搭載した無線通信端末であって、無線通信接続に失敗した際のエラーの詳細な内容及び対処方法をユーザーへ分かり易く伝えることができる、無線通信端末等を提供する。【解決手段】無線通信装置と無線通信を行う無線通信端末が、前記無線通信装置の第１内部アクセスポイントを介して前記無線通信装置と無線接続を確立する仮接続部と、前記仮接続部が前記無線接続の確立に失敗したときに、前記無線通信装置の第２内部アクセスポイントの識別情報を受信し、当該識別情報に含まれるエラー情報を報知するエラー報知部と、を備える。【選択図】図２
2018088582.tif 000002
【特許請求の範囲】
【請求項１】
無線通信装置と無線通信を行う無線通信端末であって、
前記無線通信装置の第１内部アクセスポイントを介して前記無線通信装置と無線接続を確立する仮接続部と、
前記仮接続部が前記無線接続の確立に失敗したときに、前記無線通信装置の第２内部アクセスポイントの識別情報を受信し、当該識別情報に含まれるエラー情報を報知するエラー報知部と、を備える
ことを特徴とする無線通信端末。
【請求項２】
請求項１において、更に、
前記仮接続部が前記第１内部アクセスポイントを介した無線通信で受信する外部アクセスポイントの接続情報を用いて、当該外部アクセスポイントと無線接続を確立する本接続部を備える
ことを特徴とする無線通信端末。
【請求項３】
請求項１または２において、
前記第１内部アクセスポイント及び前記第２内部アクセスポイントの識別情報は、前記無線通信装置の識別情報を含む
ことを特徴とする無線通信端末。
【請求項４】
請求項３において、
前記エラー報知部は、前記仮接続部が前記無線接続の確立に失敗したときに、前記第１内部アクセスポイントの識別情報に含まれる前記無線通信装置の識別情報を含む前記第２内部アクセスポイントの識別情報を受信すると、当該第２内部アクセスポイントの識別情報に含まれるエラーコードを取得し、当該エラーコードに対応するエラー報知情報を報知する
ことを特徴とする無線通信端末。
【請求項５】
無線通信端末と無線通信を行う無線通信装置であって、
第１内部アクセスポイントを介して前記無線通信端末と無線接続を確立する仮接続部と、
前記仮接続部が前記無線接続の確立に失敗したときに、当該無線接続の確立に失敗したことを示すエラー情報を含む第２内部アクセスポイントの識別情報を送信するエラー通知部と、を備える
ことを特徴とする無線通信装置。
【請求項６】
請求項５において、
前記エラー通知部は、前記仮接続部が前記無線接続の確立に失敗したときに、当該無線接続の失敗の原因に対応したエラーコードを含む第２内部アクセスポイントの識別情報を生成し、当該識別情報を無線で送信する
ことを特徴とする無線通信装置。
【請求項７】
互いに無線通信を行う無線通信端末と無線通信装置を有する無線通信システムであって、
前記無線通信装置は、
第１内部アクセスポイントを介して前記無線通信端末と無線接続を確立する第１仮接続部と、
前記第１仮接続部が前記無線接続の確立に失敗したときに、当該無線接続の確立に失敗したことを示すエラー情報を含む第２内部アクセスポイントの識別情報を送信するエラー通知部と、を備え、
前記無線通信端末は、
前記無線通信装置の前記第１内部アクセスポイントを介して前記無線通信装置と無線接続を確立する第２仮接続部と、
前記第２仮接続部が前記無線接続の確立に失敗したときに、前記無線通信装置の前記第２内部アクセスポイントの識別情報を受信し、当該識別情報に含まれるエラー情報を報知するエラー報知部と、を備える
ことを特徴とする無線通信システム。
【請求項８】
無線通信装置と無線通信を行う無線通信端末における無線通信方法であって、
前記無線通信装置の第１内部アクセスポイントを介して前記無線通信装置と無線接続を確立する仮接続工程と、
前記仮接続工程における前記無線接続の確立に失敗したときに、前記無線通信装置の第２内部アクセスポイントの識別情報を受信し、当該識別情報に含まれるエラー情報を報知するエラー報知工程と、を有する
ことを特徴とする無線通信方法。
【請求項９】
無線通信端末と無線通信を行う無線通信装置における無線通信方法であって、
第１内部アクセスポイントを介して前記無線通信端末と無線接続を確立する仮接続工程と、
前記仮接続工程において前記無線接続の確立に失敗したときに、当該無線接続の確立に失敗したことを示すエラー情報を含む第２内部アクセスポイントの識別情報を送信するエラー通知工程と、を有する
ことを特徴とする無線通信方法。
【請求項１０】
無線通信装置と無線通信を行う無線通信端末に、
前記無線通信装置の第１内部アクセスポイントを介して前記無線通信装置と無線接続を確立する仮接続工程と、
前記仮接続工程における前記無線接続の確立に失敗したときに、前記無線通信装置の第２内部アクセスポイントの識別情報を受信し、当該識別情報に含まれるエラー情報を報知するエラー報知工程と、を実行させる
ことを特徴とする無線通信プログラム。
【発明の詳細な説明】
【技術分野】
【０００１】
本発明は、無線通信機能を搭載した無線通信端末等に関し、特に、無線通信接続に失敗した際のエラーの詳細な内容及び対処方法をユーザーへ分かり易く伝えることができる、無線通信端末等に関する。
【背景技術】
【０００２】
従来、パーソナルコンピューターなどの端末装置とプリンターなどの電子機器を無線通信で接続して使用することが普及している。このような機器間の無線通信は、通常、外部アクセスポイントを介して行われるのが一般的であるが、そのような接続（本接続）を容易に確立するために、まず、当該機器間で直接無線通信を接続する仮接続を行うことが知られている。
【０００３】
かかる仮接続は、様々な理由によって接続に失敗することがあり、そのエラーについてユーザーに報知する必要があるが、表示パネルを備えていないプリンターなどの電子機器ではＬＥＤを用いてその旨をユーザーに報知することが行われていた。下記特許文献１においては、エラーの発生をプリンターに付属されているＬＥＤの点滅でユーザーに通知する方法が記載されている。
【先行技術文献】
【特許文献】
【０００４】
【特許文献１】特開２０１１−１６１９２４号公報
【発明の概要】
【発明が解決しようとする課題】
【０００５】
しかしながら、無線接続に失敗した際のエラー報知をプリンターに付属されたＬＥＤの点滅だけで行うのでは、エラーの詳細な内容や当該エラーを回避するための対処方法等をユーザーへ分かり易く伝えることができないという課題があった。
【０００６】
そこで、本発明の目的は、無線通信機能を搭載した無線通信端末であって、無線通信接続に失敗した際のエラーの詳細内容及び対処方法をユーザーへ分かり易く伝えることができる無線通信端末、等を提供することである。
【課題を解決するための手段】
【０００７】
上記の目的を達成するために、本発明の一つの側面は、無線通信装置と無線通信を行う無線通信端末が、前記無線通信装置の第１内部アクセスポイントを介して前記無線通信装置と無線接続を確立する仮接続部と、前記仮接続部が前記無線接続の確立に失敗したときに、前記無線通信装置の第２内部アクセスポイントの識別情報を受信し、当該識別情報に含まれるエラー情報を報知するエラー報知部と、を備える、ことである。
【０００８】
これにより、無線通信端末側のユーザーインターフェースを用いて、エラーの詳細な内容や対処方法をユーザーに報知でき、ユーザー利便性が良い。
【０００９】
更に、上記発明において、その好ましい一つの態様は、前記仮接続部が前記第１内部アクセスポイントを介した無線通信で受信する外部アクセスポイントの接続情報を用いて、当該外部アクセスポイントと無線接続を確立する本接続部を備える、ことを特徴とする。
【００１０】
これにより、無線通信装置との本接続を煩わしいユーザー操作を行うことなく、素早く確実に行えるようにできる。
【００１１】
更に、上記発明において、その好ましい一つの態様は、前記第１内部アクセスポイント及び前記第２内部アクセスポイントの識別情報は、前記無線通信装置の識別情報を含む、ことを特徴とする。
【００１２】
これにより、接続に失敗した通信相手の無線通信装置を確実に特定でき、正確な情報を報知できる。
【００１３】
更に、上記発明において、その好ましい一つの態様は、前記エラー報知部は、前記仮接続部が前記無線接続の確立に失敗したときに、前記第１内部アクセスポイントの識別情報に含まれる前記無線通信装置の識別情報を含む前記第２内部アクセスポイントの識別情報を受信すると、当該第２内部アクセスポイントの識別情報に含まれるエラーコードを取得し、当該エラーコードに対応するエラー報知情報を報知する、ことを特徴とする。
【００１４】
これにより、接続に失敗した通信相手から送信されるエラーの詳細な内容や対処方法を間違いなく端末装置から報知でき、ユーザー利便性が良い。
【００１５】
上記の目的を達成するために、本発明の別の側面は、無線通信端末と無線通信を行う無線通信装置であって、第１内部アクセスポイントを介して前記無線通信端末と無線接続を確立する仮接続部と、前記仮接続部が前記無線接続の確立に失敗したときに、当該無線接続の確立に失敗したことを示すエラー情報を含む第２内部アクセスポイントの識別情報を送信するエラー通知部と、を備える、ことである。
【００１６】
これにより、無線通信装置は無線通信端末へエラー情報を報知するため、無線通信装置の報知機能が乏しい場合にも、無線通信端末のユーザーインターフェースを用いてエラーの詳細な内容や対処方法を報知することができ、ユーザー利便性が良い。
【００１７】
更に、上記発明において、その好ましい一つの態様は、前記エラー通知部は、前記仮接続部が前記無線接続の確立に失敗したときに、当該無線接続の失敗の原因に対応したエラーコードを含む第２内部アクセスポイントの識別情報を生成し、当該識別情報を無線で送信する、ことを特徴とする。
【００１８】
これにより、無線通信端末でエラーコードに対応した詳細なエラー情報を報知でき、ユーザー利便性が向上する。
【００１９】
上記の目的を達成するために、本発明の更に別の側面は、互いに無線通信を行う無線通信端末と無線通信装置を有する無線通信システムであって、前記無線通信装置は、第１内部アクセスポイントを介して前記無線通信端末と無線接続を確立する第１仮接続部と、前記第１仮接続部が前記無線接続の確立に失敗したときに、当該無線接続の確立に失敗したことを示すエラー情報を含む第２内部アクセスポイントの識別情報を送信するエラー通知部と、を備え、前記無線通信端末は、前記無線通信装置の前記第１内部アクセスポイントを介して前記無線通信装置と無線接続を確立する第２仮接続部と、前記第２仮接続部が前無線接続の確立に失敗したときに、前記無線通信装置の前記第２内部アクセスポイントの識別情報を受信し、当該識別情報に含まれるエラー情報を報知するエラー報知部と、を備える、ことである。
【００２０】
これにより、無線通信装置の報知機能が乏しい場合にも、無線通信端末のユーザーインターフェースを用いて、エラー情報のユーザー報知が行え、ユーザー利便性が向上する。
【００２１】
上記の目的を達成するために、本発明の更に別の側面は、無線通信装置と無線通信を行う無線通信端末における無線通信方法であって、前記無線通信装置の第１内部アクセスポイントを介して前記無線通信装置と無線接続を確立する仮接続工程と、前記仮接続工程における前記無線接続の確立に失敗したときに、前記無線通信装置の第２内部アクセスポイントの識別情報を受信し、当該識別情報に含まれるエラー情報を報知するエラー報知工程と、を有する、ことである。
【００２２】
上記の目的を達成するために、本発明の更に別の側面は、無線通信端末と無線通信を行う無線通信装置における無線通信方法であって、第１内部アクセスポイントを介して前記無線通信端末と無線接続を確立する仮接続工程と、前記仮接続工程において前記無線接続の確立に失敗したときに、当該無線接続の確立に失敗したことを示すエラー情報を含む第２内部アクセスポイントの識別情報を送信するエラー通知工程と、を有する、ことである。
【００２３】
上記の目的を達成するために、本発明の更に別の側面は、無線通信プログラムであって、無線通信装置と無線通信を行う無線通信端末に、前記無線通信装置の第１内部アクセスポイントを介して前記無線通信装置と無線接続を確立する仮接続工程と、前記仮接続工程における前記無線接続の確立に失敗したときに、前記無線通信装置の第２内部アクセスポイントの識別情報を受信し、当該識別情報に含まれるエラー情報を報知するエラー報知工程と、を実行させる、ことである。
【００２４】
本発明の更なる目的及び、特徴は、以下に説明する発明の実施の形態から明らかになる。
【図面の簡単な説明】
【００２５】
【図１】本発明を適用した無線通信システム１００の模式図である。
【図２】本発明を適用した無線通信システム１００の機能構成図である。
【図３】端末装置１及びプリンター２における、接続失敗時の処理を含む無線通信接続の処理の手順を例示したフローチャートである。
【発明を実施するための形態】
【００２６】
以下、図面を参照して本発明の実施の形態を説明する。しかしながら、かかる実施の形態が、本発明の技術的範囲を限定するものではない。なお、図において、同一又は類似のものには同一の参照番号又は参照記号を付して説明する。
【００２７】
図１は、本発明を適用した無線通信システムの模式図である。また、図２は、本発明を適用した無線通信システムの機能構成図である。図１及び図２に示す無線通信システム１００が本発明を適用した無線通信システムであり、端末装置１（無線通信端末）及びプリンター２（無線通信装置）を備える。
【００２８】
図１及び図２に示されるように、端末装置１とプリンター２は、無線接続されて通信を行う。すなわち、両者は無線通信を行う。この無線通信では、外部アクセスポイントであるＡＰ３を介した無線接続（図１及び図２における無線接続（１）及び無線接続（３））が行われて、端末装置１からプリンター２への印刷要求などの通信が実行される。かかるＡＰ３を介した無線接続をここでは本接続と称す。
【００２９】
また、端末装置１とプリンター２は、直接、両装置間で無線接続（図１及び図２における無線接続（２））を行う機能を備える。かかる無線接続（２）は、プリンター２内に起動される内部ＡＰ（アクセスポイント）を用いて行われる。この無線接続（２）は、端末装置１とプリンター２が本接続するための情報を通信するために用いられ、ここでは仮接続と称す。
【００３０】
本無線通信システム１００では、上述の通り、端末装置１とプリンター２の内部ＡＰ（第１内部アクセスポイント）を介した仮接続を行う。接続に失敗した際には、プリンター２の仮接続部２２４が、エラーコード（エラー情報）とプリンター２のＭＡＣアドレス（無線通信装置の識別情報）が包含されたエラー通知用のＳＳＩＤ（Ｓｅｒｖｉｃｅ  Ｓｅｔ  Ｉｎｄｅｎｔｉｆｉｅｒ）（以降、エラー通知用ＳＳＩＤと称す）を発信する（ビーコンを配信する）。当該エラー通知用ＳＳＩＤ（第２内部アクセスポイントの識別情報）を受信した端末装置１のエラー報知部１２３は、端末装置１の表示画面（後述するユーザーＩ／Ｆ画面）にエラーの詳細内容及び対処方法（以降、エラー報知情報と称す）を表示する。当該方法により、エラー報知部１２３は、ユーザーへ仮接続が失敗した旨を報知する。これにより、ユーザーは、仮接続に失敗した際、エラーの詳細内容や対処方法を容易に把握することができる。
【００３１】
端末装置１は、プリンター２に処理要求を行うプリンター２のホストコンピューターであり、持ち運ぶことができる情報端末装置（モバイル端末装置）である。例えば、スマートフォン、タブレット型端末などで構成でき、ハードウェア構成としては、ＣＰＵ、ＲＡＭ、ＲＯＭ、ＨＤＤ、スピーカー、操作装置（いずれも図示せず）等を備える。
【００３２】
なお、端末装置１は、機能構成として、図２に示すように、無線Ｉ／Ｆ部１０、ユーザーＩ／Ｆ部１１、制御部１２、及び、記憶部１３を備える。
【００３３】
無線Ｉ／Ｆ部１０は、他の無線通信機器とＷｉ−Ｆｉ  Ｄｉｒｅｃｔなどに準拠して通信するための無線ＬＡＮインターフェースであり、受信した無線信号をプロトコルに従って変換して内部バスに送出し、内部バスから取り込んだ信号をプロトコルに従って変換して無線信号として送出する。無線Ｉ／Ｆ部１０は、アンテナ、電子回路、メモリー等を備える。
【００３４】
ユーザーＩ／Ｆ部１１は、液晶表示装置等で構成される端末装置１のユーザーインターフェースである。エラー報知部１２３によって、エラー報知情報をユーザーへ報知する際には、当該ユーザーＩ／Ｆ部１１にエラー報知情報が表示される。
【００３５】
記憶部１３は、プリンター２から送信されるエラー通知用ＳＳＩＤに含まれるエラーコードとエラー報知情報を対応付けて記憶する記憶装置である。また、記憶部１３は、無線接続のための接続情報も記憶する。具体的には、記憶部１３は、ＡＰ３の接続情報（ＳＳＩＤ、セキュリティー方式、パスワードなど）と、プリンター２の内部ＡＰの接続情報（仮ＳＳＩＤ（第１内部アクセスポイントの識別情報）など）を記憶する。なお、記憶部１３は、ハードウェア構成としては、ＮＶＲＡＭ等の不揮発性のメモリーやＨＤＤ等で構成される。
【００３６】
制御部１２は、端末装置１の各部を制御する制御装置であり、ハードウェア構成としては、図示していないが、ＣＰＵ、ＲＡＭ、ＲＯＭ、ＡＳＩＣ（Application Specific Integrated Circuit）等を備える。制御部１２は、機能構成として、図２に示すように本接続部１２１、仮接続部１２２、及び、エラー報知部１２３を備える。
【００３７】
本接続部１２１は、ＡＰ３の接続情報（ＡＰ３のＳＳＩＤ、セキュリティー方式、パスワードなど）を用いてＡＰ３との無線通信の接続／切断を制御する。なお、本接続部１２１は、ＯＳ（オペレーティングシステム）などのソフトウェア、当該ソフトウェアに従って動作するＣＰＵ、ＲＡＭ等で構成される。
【００３８】
仮接続部１２２は、プリンター２の内部ＡＰの接続情報（仮ＳＳＩＤなど）を用いてプリンター２との無線通信の接続／切断を制御する。なお、本明細書において、仮接続部１２２は、第２仮接続部と称されてもよい。
【００３９】
エラー報知部１２３は、仮接続が何らかの原因で失敗した場合に、そのエラー情報をユーザーに報知する。具体的には、エラー報知部１２３は、プリンター２のエラー通知部２２５から発信されるビーコンに含まれるエラー通知用ＳＳＩＤを受け取り（受信し）、その中に含まれるエラーコードを取得する。その後、エラー報知部１２３は、記憶部１３を参照し、取得したエラーコードに対応するエラー報知情報を決定する。その後、エラー報知部１２３は、ユーザーＩ／Ｆ部１１にそのエラー報知情報を表示する。
【００４０】
なお、仮接続部１２２及びエラー報知部１２３は、アプリケーションプログラムなどのソフトウェア、当該ソフトウェアに従って動作するＣＰＵ、ＲＡＭ等で構成される。また、当該アプリケーションプログラムは、プリンター２の製造元等により製作され、インターネットなどの通信や、ＣＤなどの記憶媒体を介して、端末装置１にインストールされる。
【００４１】
プリンター２は、無線通信機能を搭載したプリンターであり、一例として、用紙などの印刷媒体にインクを吐出して印刷を行うインクジェットプリンターである。図２に示すように、プリンター２は、機能構成として、無線Ｉ／Ｆ部２１、制御部２２、及び、印刷機構部２４を備える。
【００４２】
無線Ｉ／Ｆ部２１は、他の無線通信機器とＷｉ−Ｆｉ  Ｄｉｒｅｃｔなどに準拠して通信するための無線ＬＡＮインターフェースであり、受信した無線信号をプロトコルに従って変換して内部バスに送出し、内部バスから取り込んだ信号をプロトコルに従って変換して無線信号として送出する。無線Ｉ／Ｆ部２１は、アンテナ、電子回路、メモリー等を備える。
【００４３】
制御部２２は、プリンター２の各部を制御するコントローラーである。制御部２２は、端末装置１などのホスト装置から印刷要求を受信した際には、印刷機構部２４を制御して用紙などの印刷媒体に印刷を実行させる。また、制御部２２は、無線Ｉ／Ｆ部２１を介した無線通信の本接続及び仮接続の制御を行う。ハードウェア構成としては、図示していないが、ＣＰＵ、ＲＡＭ、ＲＯＭ、ＡＳＩＣ、ＮＶＲＡＭ等を備える。制御部２２は、機能構成として、本接続部２２３、仮接続部２２４、エラー通知部２２５、記憶部２２６、及び、印刷制御部２２７を備える。
【００４４】
本接続部２２３は、記憶部２２６に記憶されたＡＰ３の接続情報（ＡＰ３のＳＳＩＤ、セキュリティー方式、パスワードなど）を用いてＡＰ３との無線通信の接続／切断を制御する。
【００４５】
仮接続部２２４は、端末装置１など他の装置との仮接続による無線通信を制御する。仮接続の際には、仮接続部２２４は、内部ＡＰを起動し、プリンター２のＭＡＣアドレス（識別情報）を含む、その内部ＡＰの仮ＳＳＩＤを発信する（ビーコンで配信する）。なお、本明細書において、仮接続部２２４は、第１仮接続部と称されてもよい。
【００４６】
エラー通知部２２５は、仮接続部２２４が仮接続に失敗した際に、エラー通知用ＳＳＩＤを生成してビーコンで発信（配信）する。つまり、エラー通知部２２５は、仮接続部２２４が仮接続に失敗した際に、エラー通知用ＳＳＩＤを生成して出力する。エラー通知用ＳＳＩＤは、エラー通知であることを識別できる識別子、プリンター２のＭＡＣアドレス、及び、エラーコードを含む。上記エラーコードは、後述する記憶部２２６を参照して、取得される。
【００４７】
なお、本接続部２２３、仮接続部２２４、及び、エラー通知部２２５は、制御プログラム（ファームウェア）と当該プログラムに従って動作するＣＰＵ、ＲＡＭ等で構成される。
【００４８】
記憶部２２６は、上述したエラー通知部２２５によって通知されるエラー通知用ＳＳＩＤに含まれるエラーコードを記憶した記憶装置である。エラーコードは接続失敗の原因に対応付けられて記憶される。また、記憶部２２６は、無線接続のための接続情報（ＡＰ３のＳＳＩＤ、セキュリティー方式、パスワードなど）も記憶する。なお、記憶部２２６は、ハードウェア構成としては、ＮＶＲＡＭ等の不揮発性のメモリーで構成される。
【００４９】
印刷制御部２２７は、主に印刷処理の制御を行う。印刷処理時には、印刷制御部２２７は、端末装置１から無線通信により印刷データを受信し、当該印刷データを印刷機構部２４用のデータに変換し、当該データによって印刷ヘッド（図示せず）を備える印刷機構部２４に印刷を実行させる。なお、印刷制御部２２７は、制御プログラム、当該プログラムに従って動作するＣＰＵ、ＲＡＭ、ＲＯＭ、ＡＳＩＣ等で構成される。
【００５０】
印刷機構部２４は、印刷制御部２２７の指示に従って用紙への印刷処理を実行する。印刷機構部２４は、用紙を搬送する搬送部、用紙に印字をする印刷ヘッド（いずれも図示せず）等を備える。
【００５１】
以上のような構成を備える端末装置１及びプリンター２は、仮接続に失敗した際のエラー報知方法に特徴があり、以下、その詳細について説明する。
【００５２】
図３は、端末装置１及びプリンター２における、仮接続の接続失敗時の処理を含む無線通信接続の処理の手順を例示したフローチャートである。以下、図３に基づいて、仮接続の接続失敗時の処理を含む処理内容について説明する。なお、以下の説明では、プリンター２は、ＡＰ３との本接続（無線接続（１））が過去に確立しており、ＡＰ３の接続情報が、記憶部２２６に記憶されているものとする。また、端末装置１は、ＡＰ３の接続情報を記憶部１３に記憶していない状態であると想定する。
【００５３】
まず、プリンター２との本接続を行おうとするユーザーは、端末装置１の仮接続部１２２とプリンター２の仮接続部２２４を起動する。具体的には、ユーザーは、端末装置１にインストールされた仮接続部１２２のアプリケーションプログラムを起動し、無線接続の要求操作を実行する。また、ユーザーは、プリンター２の無線接続をオンにするスイッチ等を操作して内部ＡＰ（第１内部アクセスポイント）を起動させる（図３のステップＳ１、図３のステップＳ５１）。
【００５４】
次に、端末装置１では、起動した仮接続部１２２が無線Ｉ／Ｆ部１０を介して仮ＳＳＩＤの探索を開始する（図３のステップＳ３）。
【００５５】
一方、プリンター２では、仮接続部２２４が仮接続のための仮ＳＳＩＤ（第１内部アクセスポイントの識別情報）を発信する（ビーコンで配信する）（図３のステップＳ５３）。
【００５６】
その後、端末装置１の仮接続部１２２は、仮ＳＳＩＤが検知（発見）されるのを待ち、仮ＳＳＩＤが検知されると、その仮ＳＳＩＤを取得し（図３のステップＳ５）、取得した仮ＳＳＩＤに含まれるプリンター２のＭＡＣアドレス（識別情報）を記憶部１３へ記憶する（保存する）（図３のステップＳ７）。
【００５７】
次に、端末装置１の仮接続部１２２は、上記ステップＳ５で取得した仮ＳＳＩＤを使用して、プリンター２の仮接続部２２４へ接続要求をする（図３のステップＳ９）。
【００５８】
一方、プリンター２の仮接続部２２４は、端末装置からの接続要求を待っている状態であり、いずれかの端末と仮接続（無線接続（２））できたか否かを確認する（図３のステップＳ５５）。プリンター２の仮接続部２２４と端末装置１の仮接続部１２２との仮接続が成功した場合（図３のステップＳ５５のＹｅｓ）、処理はステップＳ５６へ進み、プリンター２の仮接続部２２４は、記憶部２２６に記憶されているＡＰ３の接続情報を、仮接続（無線接続（２））を用いて端末装置１へ送信する（図３のステップＳ５６）。その後、仮接続部２２４は、仮接続を切断する。そして、本接続部２２３は、ＡＰ３と本接続の処理を行う（図３のステップＳ５７）。
【００５９】
一方、端末装置１の仮接続部１２２は、プリンター２との仮接続ができたか否かを確認する（図３のステップＳ１１）。
【００６０】
プリンター２との仮接続が成功した場合（図３のステップＳ１１のＹｅｓ）、処理はステップＳ１２へ進み、仮接続部１２２は、プリンター２から送信されたＡＰ３の接続情報を取得し、記憶部１３に記憶する（図３のステップＳ１２）。その後、仮接続部１２２は、本接続部１２１に、本接続を要求し、要求を受けた本接続部１２１は、記憶部１３に記憶されたＡＰ３の接続情報を用いて、無線Ｉ／Ｆ部１０を介してＡＰ３と本接続（無線接続（３））を行う（図３のステップＳ１３）。
【００６１】
一方、ステップＳ５５にて、仮接続（無線接続（２））が失敗した場合（図３のステップＳ５５のＮｏ）、処理はステップＳ５９へ進み、プリンター２のエラー通知部２２５が起動する（図３のステップＳ５９）。エラー通知部２２５は、エラー通知用の内部ＡＰ（第２内部アクセスポイント）を立ち上げるために、エラー通知用ＳＳＩＤを生成する。まず、エラー通知部２２５は、仮接続の接続失敗の原因を確認し、記憶部２２６に記憶されている情報から、その接続失敗の原因に対応付けられて記憶されたエラーコードを探索し、取得する。エラー通知部２２５は、取得したエラーコード及びプリンター２のＭＡＣアドレスをエラー通知であることを識別する識別子に付加して、エラー通知用ＳＳＩＤを生成する。その後、エラー通知部２２５は、生成したエラー通知用ＳＳＩＤを発信する（ビーコンで配信する）（図３のステップＳ６１）。
【００６２】
その後、所定時間（一例として、２分）経過後に、仮接続部２２４は停止する（図３のステップＳ６３）。以上でプリンター２側の処理は終了する。
【００６３】
一方、端末装置１側は、仮接続に失敗した場合（図３のステップＳ１１のＮｏ）、エラー報知部１２３が起動し、エラー通知用ＳＳＩＤの探索を開始する（図３のステップＳ１５）。具体的には、エラー報知部１２３は、ステップＳ６１にてプリンター２のエラー通知部２２５から発信されたエラー通知用ＳＳＩＤの探索を開始する。
【００６４】
エラー通知用ＳＳＩＤが発見されない場合（図３のステップＳ１６のＮｏ）、処理はステップＳ１８へ進み、エラー報知部１２３は、所定時間（一例として、２分）、タイムアウト経過の判断をする（図３のステップＳ１８）。所定時間内であれば（図３のステップＳ１８のＮｏ）、処理はステップＳ１５へ進み、エラー報知部１２３は、上述したエラー通知用ＳＳＩＤの探索を続ける。所定時間が経過した場合は（図３のステップＳ１８のＹｅｓ）、仮接続部１２２及びエラー報知部１２３は停止し、処理は終了する。
【００６５】
一方、ステップＳ１６にて、エラー通知用ＳＳＩＤが発見された場合（図３のステップＳ１６のＹｅｓ）、処理はステップＳ１９へ進み、エラー報知部１２３は、エラー通知用ＳＳＩＤに包含されたＭＡＣアドレスの情報を取得する（図３のステップＳ１９）。なお、ステップＳ１６において、エラー通知用ＳＳＩＤが発見された場合とは、エラー報知部１２３が受信したＳＳＩＤにエラー通知であることを識別する識別子が含まれている場合である。また、ステップＳ１６において、エラー通知用ＳＳＩＤが発見されない場合とは、エラー通知部１２３がエラー通知用ＳＳＩＤの探索を開始してからＳＳＩＤを受信できていない場合、及び、受信したＳＳＩＤにエラー通知であることを識別する識別子が含まれていない場合である。エラー報知部１２３は、取得したＭＡＣアドレスとステップＳ７にて記憶部１３へ記憶したＭＡＣアドレスが一致しているか否かの判断をする（図３のステップＳ２１）。
【００６６】
ＭＡＣアドレスが一致しない場合（図３のステップＳ２１のＮｏ）、処理はステップＳ１８へ進み、上述と同様の処理が行われる。すなわち、タイムアウトするまで、ＭＡＣアドレスが一致するエラー通知用ＳＳＩＤの探索が行われる（図３のステップＳ１５）。タイムアウトした場合には（図３のステップＳ１８のＹｅｓ）、処理は終了する。
【００６７】
ＭＡＣアドレスが一致した場合（図３のステップＳ２１のＹｅｓ）、処理はステップＳ２３へ進み、エラー報知部１２３は、エラー通知用ＳＳＩＤに包含されたエラーコードの情報を取得し（図３のステップＳ２３）、エラーコードの解析を行う（図３のステップＳ２５）。具体的には、エラー報知部１２３は、記憶部１３を参照して、取得したエラーコードに対応して記憶されているエラー報知情報を取得する。
【００６８】
その後、エラー報知部１２３は、取得したエラー報知情報を報知する（図３のステップＳ２７）。具体的には、エラー報知部１２３は、端末装置１のユーザーＩ／Ｆ部１１（表示装置）へ取得したエラー報知情報を表示する。エラー報知情報の表示により、ユーザーへ仮接続に失敗した旨とエラー詳細内容及び対処方法が報知される。
【００６９】
例えば、仮接続に失敗した原因が、電波状況が悪いために接続できなかった場合、エラー報知部１２３は、エラー報知情報として、例えば、「電波状況が悪いため接続できません。端末とプリンターを近づけてください。」などのコメントを表示する。また、他の例として、接続が頻繁に切れる場合には、「接続できません。障害物が無いか確認してください。」などと表示する。また、更に他の例として、接続制限数が超えている場合には、「ただいま複数の端末から接続要求があります。もう少し待ってから繋ぎなおしてください。」などのコメントを表示する。以上で端末装置１側の処理は終了する。
【００７０】
なお、エラー報知情報は、ユーザーＩ／Ｆ部（表示装置）へ文字で表示しても良いし、音声で読み上げる等しても良い。
【００７１】
また、本実施の形態例では、端末装置１とプリンター２の仮接続失敗時におけるエラー報知方法について述べたが、仮接続だけではなく、端末装置１とプリンター２が本接続に失敗した時にも上記エラー報知方法を適用するようにしても良い。
【００７２】
以上説明したように、本無線通信システム１００では、端末装置１がプリンター２の内部ＡＰを介した仮接続を行うが、接続に失敗した際、プリンター２のエラー通知部２２５は、エラーコードとプリンター２のＭＡＣアドレスが包含されたエラー通知用のＳＳＩＤを発信する（ビーコンを配信する）。当該エラー通知用ＳＳＩＤを受信した端末装置１のエラー報知部１２３は、端末装置１の表示画面にエラーコードに対応したエラーの詳細内容及び対処方法を表示して、ユーザーへエラーの報知を行う。
【００７３】
これにより、端末装置１側のユーザーＩ／Ｆ部１１を用いて、エラーの詳細な内容や対処方法をユーザーに報知でき、ユーザー利便性が良い。
【００７４】
また、仮接続部１２２の内部ＡＰを介した無線通信で受信するＡＰ３の接続情報を用いて、本接続部１２１は当該ＡＰ３と無線接続を確立するため、プリンター２との本接続を煩わしいユーザー操作を行うことなく、素早く確実に行えるようにできる。
【００７５】
また、エラー通知用ＳＳＩＤは、プリンター２のＭＡＣアドレスを含むため、接続に失敗した通信相手のプリンター２を確実に特定でき、正確な情報を報知できる。
【００７６】
また、プリンター２は、内部ＡＰを介して端末装置１と無線接続を確立する仮接続部２２４と、当該仮接続部２２４が無線接続の確立に失敗したときに、エラー通知用ＳＳＩＤを送信するエラー通知部２２５を備える。これにより、プリンター２の報知機能が乏しい場合にも、端末装置１のユーザーＩ／Ｆ部１１を用いてエラーの詳細な内容や対処方法を報知することができ、ユーザー利便性が良い。
【００７７】
また、エラー通知部２２５は、仮接続部２２４が無線接続の確立に失敗したときに、当該無線接続の失敗に対応したエラーコードを含むエラー通知用ＳＳＩＤを生成し、当該エラー通知用ＳＳＩＤを無線で配信するため、端末装置１でエラーコードに対応した詳細なエラー情報を報知でき、ユーザー利便性が向上する。
【００７８】
また、プリンター２の報知機能が乏しい場合にも、端末装置１のユーザーインターフェースを用いて、エラー情報のユーザー報知が行え、ユーザー利便性が向上する。
【００７９】
なお、プリンター２は、印刷方式としてインクジェット方式を採用しているが、レーザー方式等の他の印刷方式を搭載したプリンターとしても良い。
【００８０】
また、プリンター２は、据え置き型のプリンターでも良いし、持ち運びが可能なモバイルプリンターでも良い。
【００８１】
また、プリンター２は、プリンター、スキャナー、コピー機、及び、ＦＡＸ等を備える複合機であっても良い。
【００８２】
また、本発明は、プロジェクター等の他の無線通信装置に適用することができる。
【００８３】
なお、本実施形態に係る図３に示す無線通信接続の処理は、ＣＰＵによって実行されてもよいし、他の電子部品［例えば、ＡＳＩＣ］によって実行されてもよい。また、本実施形態に係る図３に示す無線通信接続の処理は、複数のＣＰＵにより分散処理されてもよいし、ＣＰＵと電子部品（例えばＡＳＩＣ）とが協働して動作することにより実行されてもよい。
【００８４】
本発明の保護範囲は、上記の実施の形態に限定されず、特許請求の範囲に記載された発明とその均等物に及ぶものとする。
【符号の説明】
【００８５】
１…端末装置、２…プリンター、３…ＡＰ、１０…無線Ｉ／Ｆ部、１１…ユーザーＩ／Ｆ部、１２…制御部、１３…記憶部、２１…無線Ｉ／Ｆ部、２２…制御部、２４…印刷機構部、１２１…本接続部、１２２…仮接続部、１２３…エラー報知部、２２３…本接続部、２２４…仮接続部、２２５…エラー報知部、２２６…記憶部、２２７…印刷制御部。
【図１】
2018088582.tif 000003
【図２】
2018088582.tif 000004
【図３】
2018088582.tif 000005